(57)【要約】【課題】デジタルカメラ等の電子機器の外観を損なうことなく、カバー部材を開閉する際の操作性を向上させることができる仕組みを提供する。【解決手段】電子機器は、カバー本体１０７ａと、カバー本体１０７ａの幅方向一方側部に設けられたヒンジ部１０７ｃとを有するカバー部材１０７を備え、カバー本体１０７ａがヒンジ部１０７ｃを介して機器本体に対して開閉方向に回動可能に保持される。カバー本体１０７ａの幅方向他方側部には、カバー本体１０７ａの幅方向内側に向けて表面側から裏面側に傾斜する傾斜面１０７ｄが形成されると共に、カバー本体１０７ａの閉状態で機器本体の係合部に対して係脱可能に係合する係合爪１０７ｅ，１０７ｈがカバー本体１０７ａの裏面側で傾斜面１０７ｄに沿って設けられる。そして、傾斜面１０７ｄに沿って設けられた係合爪１０７ｅ，１０７ｈのうち、外側に配置された係合爪１０７ｆの係合部に対する係合力と内側に配置された係合爪１０７ｅの係合部に対する係合力とを異ならせる。【選択図】図２
2011209558.tif 000002
【特許請求の範囲】
【請求項１】
カバー本体と、該カバー本体の幅方向の一方側部に設けられたヒンジ部とを有するカバー部材を備え、前記カバー本体が前記ヒンジ部を介して機器本体に対して開閉方向に回動可能に保持される電子機器であって、
前記カバー本体の幅方向の他方側部には、該カバー本体の幅方向内側に向けて表面側から裏面側に傾斜する傾斜面が形成されると共に、前記カバー本体の閉状態で前記機器本体に設けられた係合部に対して係脱可能に係合する複数の係合爪が前記カバー本体の裏面側で前記傾斜面に沿って設けられ、
前記傾斜面に沿って設けられた複数の前記係合爪のうち、外側に配置された前記係合爪の前記係合部に対する係合力と内側に配置された前記係合爪の前記係合部に対する係合力とを異ならせた、ことを特徴とする電子機器。
【請求項２】
前記機器本体に、複数の外部入出力端子が設けられ、複数の前記外部入出力端子は、前記カバー本体を開いた際に、外部に露出するように配置される、ことを特徴とする請求項１に記載の電子機器。
【請求項３】
前記カバー部材は、前記カバー本体に硬質樹脂を用い、前記係合爪及び前記ヒンジ部に弾性変形可能な軟質樹脂を用いた二色成形品である、ことを特徴とする請求項１又は２に記載の電子機器。
【請求項４】
前記ヒンジ部は、前記機器本体に対して引き出し可能に保持される、ことを特徴とする請求項１乃至３のいずれか一項に記載の電子機器。
【請求項５】
前記カバー本体の幅方向の他方側部の中央部に切欠き部が形成され、前記傾斜面に沿って設けられた複数の前記係合爪のうち、前記切欠き部に接近する位置に配置された前記係合爪の前記係合部に対する係合力を、前記切欠き部から離間する位置に配置された前記係合爪の前記係合部に対する係合力より弱く設定した、ことを特徴とする請求項１乃至４のいずれか一項に記載の電子機器。
【請求項６】
前記切欠き部には、前記機器本体に取り付けられたストラップ取付部材が露出して配置される、ことを特徴とする請求項５に記載の電子機器。
【発明の詳細な説明】
【技術分野】
【０００１】
本発明は、例えば、デジタルカメラ等の電子機器に関する。
【背景技術】
【０００２】
デジタルカメラ等の電子機器では、小型化の要請に応えるべく、複数の外部入出力端子を１つのカバー部材で覆うことで構造を簡素化し、省スペース化を図ったものがある。
【０００３】
従来のこの種のカバー部材として、閉状態では、機器本体に対して係合爪を係合させ、開ける際には、係合爪の係合を解除した後、ヒンジ部を引き出してから開方向に回動させるものが提案されている（特許文献１）。
【０００４】
この提案では、カバー部材の開方向の回動操作をスムーズに行うために、カバー部材のヒンジ部側に指掛け部を設けて、カバー部材を開く際に確実にヒンジ部が引き出されるようにしている。
【先行技術文献】
【特許文献】
【０００５】
【特許文献１】特開２００６−２０１２５１号公報
【発明の概要】
【発明が解決しようとする課題】
【０００６】
しかし、上記特許文献１では、カバー部材のヒンジ部側に設けた指掛け部が外観面に露出するため、機器の外観を損ねることになる。
【０００７】
また、複数の外部入出力端子や大型の外部入出力端子を１つのカバー部材で覆うようにした場合、カバー部材のサイズが比較的大きくなるため、係止爪の数も多くなる。このため、係合爪の係合を解除してカバー部材を開けるときに大きな力が必要となり、カバー部材を開閉する際の操作性が悪くなる。
【０００８】
そこで、本発明は、電子機器の外観を損なうことなく、カバー部材を開閉する際の操作性を向上させることができる仕組みを提供することを目的とする。
【課題を解決するための手段】
【０００９】
上記目的を達成するために、本発明の電子機器は、カバー本体と、該カバー本体の幅方向の一方側部に設けられたヒンジ部とを有するカバー部材を備え、前記カバー本体が前記ヒンジ部を介して機器本体に対して開閉方向に回動可能に保持される電子機器であって、前記カバー本体の幅方向の他方側部には、該カバー本体の幅方向内側に向けて表面側から裏面側に傾斜する傾斜面が形成されると共に、前記カバー本体の閉状態で前記機器本体に設けられた係合部に対して係脱可能に係合する複数の係合爪が前記カバー本体の裏面側で前記傾斜面に沿って設けられ、前記傾斜面に沿って設けられた複数の前記係合爪のうち、外側に配置された前記係合爪の前記係合部に対する係合力と内側に配置された前記係合爪の前記係合部に対する係合力とを異ならせた、ことを特徴とする。
【発明の効果】
【００１０】
本発明によれば、電子機器の外観を損なうことなく、カバー部材を開閉する際の操作性を向上させることができる。
【図面の簡単な説明】
【００１１】
【図１】本発明の電子機器の実施形態の一例であるデジタルカメラを背面側から見た斜視図である。
【図２】カバー部材を裏面側から見た斜視図である。
【図３】カバー部材のカバー本体を開いて外部入出力端子にケーブル等のコネクタを接続する手順について説明するための説明図である。
【図４】（ａ）はデジタルカメラのカバー部材側の側面図、（ｂ）は（ａ）のＡ−Ａ線断面拡大図である。
【図５】カバー部材を裏面側から見た平面図である。
【発明を実施するための形態】
【００１２】
以下、本発明の実施形態の一例を図面を参照して説明する。
【００１３】
図１は、本発明の電子機器の実施形態の一例であるデジタルカメラを背面側から見た斜視図である。
【００１４】
図１に示すように、本実施形態のデジタルカメラは、本発明の機器本体の一例に相当するカメラ本体の背面側に液晶等の表示部１０２が配置され、表示部１０２の周囲は背面カバー１０１により覆われている。
【００１５】
また、カメラ本体の前面側には、前カバー１０４が配置されており、前カバー１０４には、樹脂等で形成されてカメラ本体の側面部に配置される前カバーインナー１０５が接着等により固定されている。
【００１６】
前カバー１０４及び前カバーインナー１０５は、背面カバー１０１及び前カバーインナー１０５の反対側の側面部に配置される不図示のサイドカバーと共に、内部部品にビス等で締結される。
【００１７】
また、カメラ本体の背面部には、撮影時や画像再生時に各種設定をする際に使用する操作ボタン群１０３が配置され、上面部には、レリーズボタン１０９及び電源ボタン１１０が配置され、底面部には、電池蓋１１１が配置されている。
【００１８】
カメラ本体の前カバーインナー１０５側の側面部には、ストラップを取り付けるためのストラップ取付部材１０８が配置されており、ストラップ取付部材１０８は、内部部品にビス等により締結される。また、ストラップ取付部材１０８の上側及び下側には、それぞれ不図示のプリント基板に実装された外部入出力端子１０６が配置されている。
【００１９】
外部入出力端子１０６には、前カバーインナー１０５に設けられた開口部を介してケーブル等のコネクタ１１２（図３（ｄ）参照）が接続される。
【００２０】
外部入出力端子１０６としては、例えば、テレビ受信機等の外部映像デバイスに接続する為のアナログビデオ端子、外部直流電源に接続する為の電源端子、ＰＣ等に接続する為のデジタル端子等が挙げられる。
【００２１】
カメラ本体の前カバーインナー１０５側の側面部には、カバー部材１０７が開閉方向に回動可能に保持されており、カバー部材１０７は、閉状態で外部入出力端子１０６を覆ってカメラ本体の側面部の外観面を形成する。
【００２２】
次に、図２を参照して、カバー部材１０７について詳しく説明する。図２は、カバー部材１０７を裏面側から見た斜視図である。
【００２３】
図２に示すように、カバー部材１０７は、閉状態で外部入出力端子１０６を覆ってカメラ本体の側面部の外観面を形成するカバー本体１０７ａを備える。
【００２４】
カバー本体１０７ａは、カメラ本体の上下方向に延設され、延設方向と直交する幅方向（カメラ本体の厚さ方向）の一方側部の略中央部には、ヒンジ部１０７ｃが突出して設けられている。ヒンジ部１０７ｃには、突出方向に長い長穴１０７ｇが形成されている。
【００２５】
そして、ヒンジ部１０７ｃは、前カバーインナー１０５の開口部１１３（図１参照）に挿入されて、長穴１０７ｇが開口部１１３内に設けられた不図示の嵌合ボスにスライド可能に嵌め込まれる。これにより、長穴１０７ｇの端部が嵌合ボスに当接するまでカバー本体１０７ａを所定量引き出すことが可能になる。
【００２６】
また、カバー本体１０７ａの幅方向の他方側部の略中央部には、ストラップ取付部材１０８を露出させるための切欠き部１０７ｈが形成されている。また、カバー本体１０７ａの幅方向の他方側部において、切欠き部１０７ｈの上側及び下側には、それぞれ幅方向内側に向けて表面側から裏面側に傾斜する傾斜面１０７ｄが形成されている。
【００２７】
カバー本体１０７ａの裏面側において、傾斜面１０７ｄに隣接する部位には、ストラップ取付部材１０８に設けられた係合部１０８ｅ，１０８ｆに対して係脱可能に係合する複数の係合爪１０７ｅ，１０７ｆが設けられている。
【００２８】
係合爪１０７ｅ，１０７ｆは、切欠き部１０７ｈの上側及び下側にそれぞれ傾斜面１０７ｄに沿って設けられ、係合爪１０７ｅは、切欠き部１０７ｈに接近する位置に配置され、係合爪１０７ｆは、切欠き部１０７ｈから離間する位置に配置されている。
【００２９】
また、カバー本体１０７ａの裏面側には、カバー本体１０７ａの閉状態で、ストラップ取付部材１０８に設けられた位置決め穴１０８ｂ（図１）に嵌合される位置決めボス１０７ｂが切欠き部１０７ｈの上側及び下側にそれぞれ設けられている。
【００３０】
ここで、カバー部材１０７は、カバー本体１０７ａの係止爪１０７ｅ，１０７ｆを除いた部分に硬質樹脂を用い、ヒンジ部１０７ｃ及び係止爪１０７ｅ，１０７ｆに弾性変形が可能な軟質樹脂を用いた二色成形品とされている。ここで、本実施形態では、硬質樹脂として、例えばポリカーボネート樹脂等を用い、弾性変形が可能な軟質樹脂として、例えばエラストマー材等を用いている。
【００３１】
これにより、カバー本体１０７ａが弾性変形可能なヒンジ部１０７ｃを介して開閉方向に回動可能にカメラ本体に保持され、また、カバー本体１０７ａの開閉時に係合部１０８ｅ，１０８ｆに対して係止爪１０７ｅ，１０７ｆが弾性変形して係脱可能となる。更に、硬質樹脂からなる位置決めボス１０７ｂについては、カバー本体１０７ａの開閉動作の繰り返しに対して十分な耐久性を確保することができる。
【００３２】
次に、図３及び図４を参照して、カバー部材１０７のカバー本体１０７ａを開いて外部入出力端子１０６にケーブル等のコネクタ１１２を接続する手順について説明する。
【００３３】
図３（ａ）は、カバー部材１０７のカバー本体１０７ａを閉じた状態を示す図である。このとき、図４に示すように、カバー本体１０７ａの係合爪１０７ｅ，１０７ｆは、ストラップ取付部材１０８の係合部１０８ｅ，１０８ｆに係合している。
【００３４】
この状態で、カバー本体１０７ａの傾斜面１０７ｄに指等を掛けてカバー本体１０７ａを開方向に引くことにより、図３（ｂ）に示すように、係合爪１０７ｅ，１０７ｆと係合部１０８ｅ，１０８ｆとの係合を解除し、また、ヒンジ部１０７ｃを所定量引き出す。
【００３５】
次に、図３（ｃ）に示すように、カバー本体１０７ａを弾性変形可能なヒンジ部１０７ｃを介して開方向に回動させ、カバー本体１０７ａを９０°以上開いた状態で、図３（ｄ）に示すように、ケーブル等のコネクタ１１２を外部入出力端子１０６に接続する。
【００３６】
ところで、カバー本体１０７ａの閉状態で、傾斜面１０７ｄに指等を掛けてカバー本体１０７ａを開方向に回動させて係合部１０８ｅ，１０８ｆとの係合を解除する際には、係合爪１０７ｅ，１０７ｆが前カバー１０４側に弾性変形する。このとき、係合爪１０７ｅ，１０７ｆを弾性変形させる力が傾斜面１０７ｄに掛けられた指等に加わることになる。
【００３７】
ここで、本実施形態では、図５に示すように、カバー本体１０７ａの切欠き部１０７ｈの上側及び下側にそれぞれ配置された係合爪１０７ｅ，１０７ｆのうち、内側の２つの係止爪１０７ｅの係合力と外側の２つの係合爪１０７ｆの係合力とを異ならせている。具体的には、内側の係合爪１０７ｅの傾斜面１０７ｄに沿う長さを外側の係合爪１０７ｆより短くして、内側の係合爪１０７ｅの係合力を外側の係合爪１０７ｆの係合力より弱く設定している。
【００３８】
これにより、カバー本体１０７ａを開ける際に、傾斜面１０７ｄに掛けられた指等に加わる力を軽減することができる。また、カバー本体１０７ａを開ける際に、切欠き部１０７ｈが配置されることで剛性が低下するカバー本体１０７ａの中央部がねじれて変形したり、該中央部が変形することで残りの係止爪の係合が解除し難くなるのを防止することができる。
【００３９】
例えば、切欠き部１０７ｈの上側の傾斜面１０７ｄに指等を掛けてカバー本体１０７ａを開ける際には、まず、上側の２つの係止爪１０７ｅ，１０７ｆの係合が解除される。この状態で、カバー本体１０７ａを開方向に回動させて切欠き部１０７ｈの下側の２つ係合爪１０７ｅ，１０７ｆの係合を解除しようとすると、カバー本体１０７ａの切欠き部１０７ａの部分にねじれ力が発生する。
【００４０】
このとき、上述したように、切欠き部１０７ｈに近い内側の係合爪１０７ｅの係合力を外側の係合爪１０７ｆの係合力より弱く設定している。このため、カバー本体１０７ａの中央部に加わるねじり力を抑えることができ、下側の２つ係合爪１０７ｅ，１０７ｆの係合を容易に解除することができる。
【００４１】
以上説明したように、本実施形態では、ヒンジ部１０７ｃの反対側のカバー本体１０７ａの側面部に沿ってカバー本体１０７ａを開ける際に指等を掛ける傾斜面１０７ｄを形成している。このため、カメラの外観面に指掛け部分が露出することがなく、カメラの外観を損ねるのを回避することができる。
【００４２】
また、カバー本体１０７ａの切欠き部１０７ｈの上側及び下側にそれぞれ配置した係合爪１０７ｅ，１０７ｆについて、内側の２つの係止爪１０７ｅの係合力と外側の２つの係合爪１０７ｆの係合力とを異ならせている。これにより、カバー本体１０７ａを開ける際に、傾斜面１０７ｄに掛けられた指等に加わる力を軽減することができ、カバー本体１０７ａを開閉する際の操作性を向上させることができる。
【００４３】
更に、内側の２つの係合爪１０７ｅの係合力を外側の２つの係合爪１０７ｆの係合力より弱く設定しているので、カバー本体１０７ａの比較的剛性が低い切欠き部１０７ｈの変形を防止しつつカバー本体１０７ａを開閉する際の操作性を向上させることができる。
【００４４】
なお、本発明の構成は、上記実施形態に例示したものに限定されるものではなく、材質、形状、寸法、形態、数、配置箇所等は、本発明の要旨を逸脱しない範囲において適宜変更可能である。
【００４５】
例えば、上記実施形態では、内側の係合爪１０７ｅと外側の係合爪１０７ｆとの傾斜面１０７ｄに沿う長さを変えて係合爪１０７ｅと係合爪１０７ｆとの係合力を異ならせているが、これに限定されない。
【００４６】
例えば、内側の係合爪１０７ｅと外側の係合爪１０７ｆとの係合代や厚さを変えて係合爪１０７ｅと係合爪１０７ｆとの係合力を異ならせるようにしてもよい。
【００４７】
また、上記実施形態では、内側の係合爪１０７ｅの係合力を外側の係合爪１０７ｆの係合力より弱く設定しているが、これに限定されない。
【００４８】
例えば、カバー本体１０７ａの中央部以外に切欠き部が形成される場合は、切欠き部の位置に応じて該切欠き部に変形が生じないように互いに異なる係合力の係合爪を配置すればよい。また、カバー本体１０７ａの中央部に形成される切欠き部が小さく変形が許容できる場合や、カバー本体１０７ａに切欠き部が形成されない場合等には、外側に係合力の弱い係合爪を配置し、内側に係合力の強い係合爪を配置するようにしてもよい。
【符号の説明】
【００４９】
１０６  外部入出力端子
１０７  カバー部材
１０７ａ  カバー本体
１０７ｃ  ヒンジ部
１０７ｄ  傾斜面
１０７ｅ  係止爪
１０７ｆ  係止爪
１０７ｈ  切欠き部
１０８ｅ  係合部
１０８ｆ  係合部
【図１】
2011209558.tif 000003
【図２】
2011209558.tif 000004
【図３】
2011209558.tif 000005
【図４】
2011209558.tif 000006
【図５】
2011209558.tif 000007